(57)【要約】      （修正有）【課題】第１，第２の有隔膜電解槽を有し、第１の電解槽にて生成されるアルカリ性電解水を被電解水として第２の電解槽にて有隔膜電解して、第２の電解槽の第１の電解室にて生成される強アルカリ性電解水をアルカリ性電解水専用の導出管路に流出させる電解水生成装置を提供する。【解決手段】電解室の極性反転により陰極側電解室にて発生するスケールを除去する逆電運転に際し、第１の電解室Ｒ3にて生成される酸性電解水の導出管路２６への流出を阻止する流路切替機構を簡便化するために、流路切替弁３０を第２の有隔膜電解槽２０の下流側に配設して、第２の有隔膜電解槽２０の第１の電解室Ｒ3に接続する流出管路２５ａのアルカリ性の電解生成水専用の導出管路２６と、酸性の電解生成水専用の導出管路１６との接続を、流路切替弁３０を介して選択的に流路切替え可能とした。【選択図】図２
2009160521.tif 000002
【特許請求の範囲】
【請求項１】
強アルカリ性の電解生成水を生成するための電解水生成装置であり、当該電解水生成装置は第１の有隔膜電解槽と第２の有隔膜電解槽を備え、前記第１の有隔膜電解槽の各電解室の上流側には被電解水の供給管路が接続されているとともに、前記各電解室の下流側には電解生成水を流出させる各流出管路が接続されていて、前記第１の有隔膜電解槽の第１の電解室に接続されている流出管路は前記第２の有隔膜電解槽の各電解室の上流側に接続されているとともに、前記第１の有隔膜電解槽の第２の電解室に接続されている流出管路は酸性の電解生成水専用の導出管路に接続されており、また、前記第２の有隔膜電解槽の各電解室の下流側には電解生成水を流出させる各流出管路が接続されていて、前記第２の有隔膜電解槽の第１の電解室に接続されている流出管路はアルカリ性の電解生成水専用の導出管路に接続されているとともに、前記第２の有隔膜電解槽の第２の電解室に接続されている流出管路は前記酸性の電解生成水専用の導出管路に接続されており、前記第２の有隔膜電解槽の第１の電解室に接続されている流出管路と、前記酸性の電解生成水専用の導出管路と、前記アルカリ性の電解生成水専用の導出管路とは流路切替弁を介して接続され、前記流路切替弁の流路切替え動作によって、前記第２の有隔膜電解槽の第１の電解室に接続されている流出管路が前記アルカリ性の電解生成水専用の導出管路と前記酸性の電解生成水専用の導出管路とに選択的に接続可能に構成されていることを特徴とする電解水生成装置。
【請求項２】
請求項１に記載の電解水生成装置において、前記第１の有隔膜電解槽の第１の電解室と前記第２の有隔膜電解室の第１の電解室、および、前記第１の有隔膜電解槽の第２の電解室と前記第２の有隔膜電解室の第２の電解室は互いに同極側に設定されて、これらの第１の電解室と第２の電解室は極性を反転可能に構成されていて、前記流路切替弁は前記第１の電解室と第２の電解室との極性の反転に同期して流路切替え動作するように構成されていることを特徴とする電解水生成装置。
【発明の詳細な説明】
【技術分野】
【０００１】
本発明は、強アルカリ性の電解生成水を生成するための電解水生成装置に関する。
【背景技術】
【０００２】
近年、有隔膜電解槽の陰極側電解室にて生成さるアルカリ性の電解生成水の洗浄作用に着目して、アルカリ性の電解生成水を、既存の洗剤を含有する水溶液に代わる洗浄用水として使用する試みがなされている。有隔膜式の電解水生成装置の電解運転では、例えば、被電解水として食塩等無機塩の０．１ｗｔ％希薄水溶液を採用する場合には、陽極側電解室ではｐＨが２．７前後で有効塩素濃度が２０ｍｇ／ｋｇ前後の殺菌作用を有する酸性の電解生成水が生成され、陰極側電解室ではｐＨが１１．３前後で洗浄作用を有するアルカリ性の電解生成水が生成される。生成された酸性の電解生成水は、殺菌作用を有することから広い分野で殺菌用水として利用され、また、生成されたアルカリ性の電解生成水は、洗浄作用を有することから、近年、広い分野で洗浄用水として利用されている。
【０００３】
ところで、アルカリ性の電解生成水を洗浄用水として利用する場合、陰極側電解室にて生成されたアルカリ性の電解生成水を適宜の量の水で希釈して大量の洗浄用水を調製し、調製された大量の洗浄用水を使用する方法が採られることがある。この場合には、上記したアルカリ性の電解生成水よりも濃度が高いアルカリ性の電解生成水、換言すれば、ｐＨが１１．３より高い強アルカリ性の電解生成水の使用が好ましく、このようなｐＨの高い強アルカリ性の電解生成水の生成が要請される。しかしながら、通常の有隔膜式の電解水生成装置においては、いずれの電解生成水の高濃度化には自ずと限界がある。
【０００４】
このため、電解生成水を高濃度化するためには、有隔膜電解を複数段に行うことが考えられ、この場合には、有隔膜電解槽を複数有する複槽式の電解水生成装置の使用が好ましい。有隔膜電解槽を２槽有する電解水生成装置については、すでに多数提案されていて、意図する特性の電解生成水を生成すべく、構成を異にする種々の電解水生成装置が提案されている（特許文献１〜３を参照）。
【０００５】
従って、上記した各特許文献にて提案されている２槽（複槽）の有隔膜電解槽を有する電解水生成装置を改良して、第１の有隔膜電解槽の陰極側電解室にて生成されるアルカリ性の電解生成水を被電解水とし、当該被電解水を第２の有隔膜電解槽の各電解室に供給して有隔膜電解するように構成すれば、第２の有隔膜電解槽の陰極側電解室にて強アルカリ性の電解生成水が生成されることになる。しかしながら、通常、有隔膜電解の電解途中には陰極側電解室内にスケールが発生し易く、特に、アルカリ性の電解生成水を２度有隔膜電解する第２の有隔膜電解槽の陰極側電解室でもスケールが発生することとなる。このため、各陰極側電解室内に付着したスケールを除去しないかぎり、電解運転を続行することができない状態に陥る。
【０００６】
有隔膜電解槽の電解室に付着するスケールを除去する手段としては、有隔膜電解槽の各電解室の極性を例えば定期的に反転させて、陽極側電解室を陰極側電解室に変換するとともに陰極側電解室を陽極側電解室に変換して、電解室内に付着するスケールを溶解して除去する手段が一般である。当該除去手段を採る場合には、各有隔膜電解槽における各電解生成水の流出管路と、酸性の電解生成水専用の導出管路およびアルカリ性の電解生成水専用の導出管路との接続関係を維持するために、第１の有隔膜電解槽の各流出管路と第２の有隔膜電解槽間、および、第２の有隔膜電解槽の各流出管路の下流側に流路切替弁をそれぞれ配設しなければならず、また、有隔膜電解槽の槽数に対応する数の流路切替弁を採用すると電解運転の制御が複雑となり、結果としてコストの上昇を招くことにもなる。図１には、２槽の有隔膜電解槽に対応する２個の流路切替弁を採用して構成された、強アルカリ性の電解生成水を生成することができる電解水生成装置を模式的に示している。
【特許文献１】特開２０００−１０７７６０号公報
【特許文献２】特開２００１−９４５３号公報
【特許文献３】特開２００５−２１８９０７号公報
【発明の開示】
【発明が解決しようとする課題】
【０００７】
図１に示す電解水生成装置は、２槽の有隔膜電解槽と２個の流路切替弁を採用して構成された電解水生成装置であって、その構成および機能については［発明を実施するための最良の形態］の項にて詳述するが、当該電解水生成装置は、第１の有隔膜電解槽１０ａと第２の有隔膜電解槽２０ａを有するとともに、第１の流路切替弁１０ｂと第２の流路切替弁２０ｂを有するものであり、各有隔膜電解槽１０ａ，２０ａを構成する各電解室はその極性を反転可能に形成されており、また、各流路切替弁１０ｂ，２０ｂは、各電解室の極性の反転に応じて流路切替え動作するように制御される。
【０００８】
このため、当該電解水生成装置においては、各有隔膜電解槽１０ａ，２０ａに対応て流路切替弁１０ｂ，２０ｂをそれぞれ配設しなければならないという問題があり、各流路切替弁１０ｂ，２０ｂを採用するとに起因して、各流路切替弁１０ｂ，２０ｂの切替動作と各有隔膜電解槽１０ａ，２０ａの各電解室の極性の反転の制御が複雑になるという問題があり、また、結果としてコストの上昇を招くという問題がある。
【０００９】
従って、本発明の目的は、複数の有隔膜電解槽を有して強アルカリ性の電解生成水を生成することができる電解水生成装置が有するこれらの問題を解消することにあり、本発明では、各流出管路と各電解生成水専用の管路との接続関係を考慮して、流路切替弁の使用個数を低減することにより、上記した各問題に対処するものである。
【課題を解決するための手段】
【００１０】
本発明は、強アルカリ性の電解生成水を生成するための電解水生成装置である。本発明に係る電解水生成装置は、第１の有隔膜電解槽と第２の有隔膜電解槽を備えるもので、前記第１の有隔膜電解槽の各電解室の上流側には被電解水の供給管路が接続されているとともに、前記各電解室の下流側には電解生成水を流出させる各流出管路が接続されていて、前記第１の有隔膜電解槽の第１の電解室に接続されている流出管路は前記第２の有隔膜電解槽の各電解室の上流側に接続されているとともに、前記第１の有隔膜電解槽の第２の電解室に接続されている流出管路は酸性の電解生成水専用の導出管路に接続されているものである。
【００１１】
また、本発明に係る電解水生成装置を構成する前記第２の有隔膜電解槽にあっては、その各電解室の下流側には、電解生成水を流出させる各流出管路が接続されていて、前記第２の有隔膜電解槽の第１の電解室に接続されている流出管路はアルカリ性の電解生成水専用の導出管路に接続されているとともに、前記第２の有隔膜電解槽の第２の電解室に接続されている流出管路は前記酸性の電解生成水専用の導出管路に接続されていて、前記第２の有隔膜電解槽の第１の電解室に接続されている流出管路と、前記酸性の電解生成水専用の導出管路と、前記アルカリ性の電解生成水専用の導出管路とは流路切替弁を介して接続され、前記流路切替弁の流路切替え動作によって、前記第２の有隔膜電解槽の第１の電解室に接続されている流出管路が前記アルカリ性の電解生成水専用の導出管路と前記酸性の電解生成水専用の導出管路とに選択的に接続可能に構成されているものである。
【００１２】
本発明に係る電解水生成装置においては、前記第１の有隔膜電解槽の第１の電解室と前記第２の有隔膜電解室の第１の電解室、および、前記第１の有隔膜電解槽の第２の電解室と前記第２の有隔膜電解室の第２の電解室は互いに同極側に設定されて、これらの第１の電解室と第２の電解室は極性を反転可能に構成されていて、前記流路切替弁は前記第１の電解室と第２の電解室の極性の反転に同期して流路切替え動作するように構成することができる。
【発明の効果】
【００１３】
本発明に係る電解水生成装置においては、第１の有隔膜電解槽の陰極側電解室にて生成されたアルカリ性の電解生成水を第２の有隔膜電解槽にて有隔膜電解するものであることから、第２の有隔膜電解槽の陰極側電解室では、意図する特性の強アルカリ性の電解生成水が生成される。この場合、電解運転の途中には、各有隔膜電解槽の陰極側電解室ではスケールが発生して電解室内に漸次付着するが、各電解室を陽極側電解室と陰極側電解室の極性を反転することによって、各陰極側電解室に発生するスケールを溶解して除去することができる。
【００１４】
しかして、本発明に係る電解水生成装置においては、通常の電解運転時には、各有隔膜電解槽にて生成される酸性の電解生成水を流出させる流出管路が酸性の電解生成水専用の導出管路に接続し、第２の有隔膜電解槽にて生成されるアルカリ性の電解生成水を流出させる流出管路がアルカリ性の電解生成水専用の導出管路に接続する構成を採ることができる。この場合、各有隔膜電解槽の各電解室の極性の反転時には、これと同期して切替え動作する流路切替弁の流路切替え動作によって、前記第２の有隔膜電解槽の第１の電解室に接続されている流出管路が酸性の電解生成水専用の導出管路に接続して、アルカリ性の電解生成水専用の導出管路との接続を遮断する構成となる。
【００１５】
従って、通常の電解運転時には、第２の有隔膜電解槽の陰極側電解室にて生成される強アルカリ性の電解生成水は、流路切替弁、および、アルカリ性の電解生成水専用の導出管路を通して、所定の使用場所に導出され、また、各有隔膜電解槽の陽極側電解室にて生成された酸性または略中性の電解生成水は酸性の電解生成水専用の導出管路を通って、所定に使用場所または排水管路に導出される。
【００１６】
また、当該電解水生成装置においては、通常の電解運転時に陰極側電解室にて発生したスケールを除去処理すべく、各有隔膜電解槽の各電解室の極性を反転した場合には、これに同期して切替動作する流路切替弁の流路切替え動作によって、第２の有隔膜電解槽の第１の電解室にて生成される強酸性の電解生成水は、アルカリ性の電解生成水専用の導出管路との接続を遮断されて、酸性の電解生成水専用の導出管路を通して排水されることになる。
【００１７】
従って、本発明に係る電解水生成装置においては、流路切替弁としては、第２の有隔膜電解槽の第１の電解室に接続されている流出管路と、アルカリ性の電解生成水専用の導出管路と、酸性の電解生成水専用の導出管路とを、互いに流路切替え可能に接続する流路切替弁を採用すればよくて、流路切替弁の使用個数を低減することができるとともに、各電解室の極性の反転、および、流路切替弁の切替動作を制御する制御手段を簡単化することができる利点があり、また、結果としてコストの低減を図ることができる。
【００１８】
また、本発明に係る電解水生成装置においては、採用している流路切替弁は、アルカリ性の電解生成水および酸性または略中性の電解生成水を、切替動作によって選択的に通すように構成されているため、アルカリ性の電解生成水と酸性の電解生成水を同時に通す構成の従来採用されている流路切替弁に比較して、弁の化学的ダメージが小さくて、使用寿命を向上させることができる。
【発明を実施するための最良の形態】
【００１９】
本発明は、強アルカリ性の電解生成水を生成するための電解水生成装置に関する。本発明に係る電解水生成装置は、第１の有隔膜電解槽と第２の有隔膜電解槽を備え、第１の有隔膜電解槽の陰極側電解室にて生成されるアルカリ性の電解生成水を被電解水として、当該被電解水を第２の有隔膜電解槽の各電解室に供給して有隔膜電解して、第２の有隔膜電解槽の陰極側電解室にて強アルカリ性の電解生成水を生成させるものである。図１には、従来のスケール除去手段をそのまま採用して構成された電解水生成装置を模式的に示しており、また、図２および図３には、本発明に係る電解水生成装置を模式的に示している。図１に示す電解水生成装置は、本発明に係る電解水生成装置とその構成を比較するために示している。
【００２０】
本発明に係る電解水生成装置に対する比較例である図１に示す電解水生成装置Ａは、第１の有隔膜電解槽１０ａおよび第２の有隔膜電解槽２０ａを備えるとともに、第１の流路切替弁１０ｂおよび第２の流路切替弁２０ｂを備えるものであり、これらの有隔膜電解槽１０ａ，２０ａおよび流路切替弁１０ｂ，２０ｂは、それ自体公知のものである。
【００２１】
第１の有隔膜電解槽１０ａは、槽本体１１内に、その中央部に配設した隔膜１２により第１および第２の電解室Ｒ1，Ｒ2が形成されていて、各電解室Ｒ1，Ｒ2内には、電解運転時に、設定電圧が印加される各電極１３ａ，１３ｂが配設されている。第１の有隔膜電解槽１０ａを構成する各電解室Ｒ1，Ｒ2の上流側には、被電解水を供給するための被電解水供給管路１４の各分岐管路が接続されている。また、各電解室Ｒ1，Ｒ2の下流側には、各電解室Ｒ1，Ｒ2にて生成された電解生成水を流出させる各流出管路１５ａ，１５ｂが接続されている。
【００２２】
第２の有隔膜電解槽２０ａは、槽本体２１内に、その中央部に配設した隔膜２２により第１および第２の電解室Ｒ3，Ｒ4が形成されていて、各電解室Ｒ3，Ｒ4内には、電解運転時に、設定電圧が印加される各電極２３ａ，２３ｂが配設されている。第２の有隔膜電解槽２０ａを構成する各電解室Ｒ3，Ｒ4の上流側には、被電解水を供給するための被電解水の供給管路２４の各分岐管路が接続されている。また、各電解室Ｒ3，Ｒ4の下流側には、各電解室Ｒ3，Ｒ4にて生成された電解生成水を流出させる各流出管路２５ａ，２５ｂが接続されている。
【００２３】
第１の電解水生成装置１０ａと第２の電解水生成装置２０ａの間に配設されている第１の流路切替弁１０ｂは、第１の有隔膜電解槽１０ａの各電解室Ｒ1，Ｒ2に接続している各流出管路１５ａ，１５ｂと、第２の有隔膜電解槽２０ａの被電解水の供給管路２４および酸性の電解生成水専用の導出管路１６間に介在していて、第１の有隔膜電解槽１０ａの第１の電解室Ｒ1に接続する流出管路１５ａが第２の有隔膜電解槽２０ａの被電解水の供給管路２４に接続し、かつ、第１の有隔膜電解槽１０ａの第２の電解室Ｒ2に接続する流出管路１５ｂが酸性の電解生成水専用の導出管路１６に接続する接続態様を構成している。また、かかる接続態様において第１の流路切替弁１０ｂが流路切替え動作した場合には、第１の流路切替弁１０ｂは、第１の有隔膜電解槽１０ａの第１の電解室Ｒ1に接続する流出管路１５ａが酸性の電解生成水専用の導出管路１６に接続し、かつ、第１の有隔膜電解槽１０ａの第２の電解室Ｒ2に接続する流出管路１５ｂが第２の有隔膜電解槽２０ａの被電解水の供給管路２４に接続態様を構成する。
【００２４】
一方、第２の電解水生成装置２０ａの下流側に配設されている第２の流路切替弁２０ｂは、第２の有隔膜電解槽２０ａの各電解室Ｒ3，Ｒ4と、アルカリ性の電解生成水専用の導出管路２６ａおよび酸性の電解生成水専用の導出管路２６ｂ間に介在していて、第２の有隔膜電解槽２０ａの第１の電解室Ｒ3に接続する流出管路２５ａがアルカリ性の電解生成水専用の導出管路２６ａに接続し、第２の有隔膜電解槽２０ａの第２の電解室Ｒ4に接続する流出管路２５ｂが酸性の電解生成水専用の導出管路２６ｂに接続する接続態様を構成している。また、かかる接続態様において第２の流路切替弁２０ｂが流路切替え動作した場合には、第２の流路切替弁２０ｂは、第２の有隔膜電解槽２０ａの第１の電解室Ｒ3に接続する流出管路２５ａが酸性の電解生成水専用の導出管路２６ｂに接続し、第２の有隔膜電解槽２０ａの第２の電解室Ｒ4に接続する流出管路２５ｂがアルカリ性の電解生成水専用の導出管路２６ａに接続する接続態様を構成する。
【００２５】
当該電解水生成装置Ａにおいては、第１の有隔膜電解槽１０ａおよび第２の有隔膜電解槽２０ａの各電解室のうち、第１の電解室Ｒ1，Ｒ3同士および第２の電解室Ｒ2，Ｒ4同士が同極になるように設定されていて、第１の電解室Ｒ1，Ｒ3同士は陽極側電解室および陰極電解室に極性を選択的に反転され、これに対応して、第２の電解室Ｒ2，Ｒ4同士は陰極側電解室および陽極電解室に極性を選択的に反転される。また、第１の流路切替弁１０ｂおよび第２の流路切替弁２０ｂは、各電解室の極性の反転に同期して流路切替え動作するように制御される。
【００２６】
これにより、両流路切替弁１０ｂ，２０ｂの流路切替え動作の前後にかかわらず、第１の有隔膜電解槽１０ａにて生成されるアルカリ性の電解生成水は、被電解水の供給管路２４を通して第２の有隔膜電解槽２０ａの各電解室Ｒ3，Ｒ4に供給されて有隔膜電解され、生成されたアルカリ性の電解生成水は常にアルカリ性の電解生成水専用の導出管路２６ａを通して導出され、かつ、生成された酸性の電解生成水は酸性の電解生成水専用の導出管路２６ｂを通して導出される。なお、第１の有隔膜電解槽１０ａにて生成された酸性の電解生成水は酸性の電解生成水専用の導出管路１６を通って導出される。
【００２７】
このように、当該電解水生成装置Ａにおいては、両流路切替弁１０ｂ，２０ｂの流路切替え動作の前後にかかわらず、第２の有隔膜電解槽２０ａにて生成される強アルカリ性の電解生成水は、アルカリ性の電解生成水専用の導出管路２６ａを通して導出され、また、各有隔膜電解槽１０ａ，２０ａにて生成される酸性または略中性の電解生成水は、酸性の電解生成水専用の導出管路１６，２６ｂから導出されることから、陰極側電解室にて発生するスケールを防止する防止手段を有効の機能させることができる。ただし、当該電解水生成装置Ａにあっては、各有隔膜電解槽１０ａ，２０ａに対応して流路切替弁１０ｂ，２０ｂを採用しなければならないという問題があり、流路切替弁の数の増加に起因して、各流路切替弁１０ｂ，２０ｂの切替動作と各有隔膜電解槽１０ａ，２０ａの各電解室の極性の反転の制御が複雑になるという問題があり、また、結果としてコストの一層の上昇を招くという問題がある。
【００２８】
図２および図３に示す本発明に係る電解水生成装置は、これらの問題を解消すべく意図したものである。本発明の一実施形態に係る電解水生成装置Ｂは、第２の有隔膜電解槽の第１の電解室にて生成される強アルカリ性の電解生成水を、図示しない食器洗浄機の洗浄水タンク内に供給して、洗浄水タンク内ですすぎ水と混合して希釈して洗浄用水を調製することを主たる目的としている。このため、洗浄水タンク内に供給されるアルカリ性の電解生成水は、通常の有隔膜電解槽の陰極側電解室にて生成されるアルカリ性の電解生成水よりｐＨの高い強アルカリ性の電解生成水が要請される。
【００２９】
本発明に係る電解水生成装置Ｂは、図１に示す電解水生成装置Ａと同様、第１の有隔膜電解槽１０および第２の有隔膜電解槽２０を備えるもので、これらの有隔膜電解槽１０，２０は、図１に示す有隔膜電解槽１０ａ，２０ａの構成と実施的に同一であることから、以下の構成の説明では、有隔膜電解槽１０ａ，２０ａの構成と共通する構成部材等については同一の符号を付して、繰り返しの説明を省略し、有隔膜電解槽１０ａ，２０ａと相違する構成について主として説明する。
【００３０】
当該電解水生成装置Ｂは、第１の有隔膜電解槽１０、第２の有隔膜電解槽２０、および、流路切替弁３０（３方弁）を備えていて、図１に示す電解水生成装置Ａとは、各流出管路および各導出管路の連結関係を異にしている。第１の有隔膜電解槽１０の第１の電解室Ｒ1に接続されている流出管路１５ａはその先端側に分岐管路を有していて、その各分岐管路にて第２の有隔膜電解槽２０の各電解室Ｒ3，Ｒ4の上流側に接続されている。また、第１の有隔膜電解槽１０の第２の電解室Ｒ2に接続されている流出管路１５ｂは、酸性の電解生成水専用の導出管路１６の途中に接続されている。
【００３１】
これにより、当該電解水生成装置Ｂにおいては、図２に示すように、第１の有隔膜電解槽１０の第１の電解室Ｒ1が陰極側電解室に、第２の電解室Ｒ2が陽極側電解室に設定された場合には、第１の電解室Ｒ1にて生成されるアルカリ性の電解生成水は、被電解水として、流出管路１５ａを通して第２の有隔膜電解槽２０の各電解室Ｒ3，Ｒ4に供給される。また、第２の電解室Ｒ2にて生成される酸性の電解生成水は、流出管路１５ｂを通して酸性の電解生成水専用の導出管路１６に流出される。
【００３２】
一方、第２の有隔膜電解槽２０においては、第１の電解室Ｒ3に接続されている流出管路２５ａは、流路切替弁３０を介してアルカリ性の電解生成水専用の導出管路２６に接続されている。また、第２の電解室Ｒ4に接続されている流出管路２５ｂは、酸性の電解生成水専用の導出管路１６の途中に接続されている。当該導出管路１６の先端は流路切替弁３０を介して流出管路２５ａに接続されている。
【００３３】
これにより、当該電解水生成装置Ｂにおいては、図２に示すように、第２の有隔膜電解槽２０の第１の電解室Ｒ3が陰極側電解室に、第２の電解室Ｒ4が陽極側電解室に設定された場合には、第１の電解室Ｒ3では強アルカリ性の電解生成水が生成されて、生成された強アルカリ性の電解生成水は、流路切替弁３０を介して、アルカリ性の電解生成水専用の導出管路２６に流出し、導出管路２６を通して、食器洗浄機の洗浄水タンク内に供給されることになる。また、第２の電解室Ｒ4にて生成される酸性または略中性の電解生成水は、流出管路２５ｂを通して酸性の電解生成水専用の導出管路１６に流出される。
【００３４】
以上は、当該電解水生成装置Ｂの通常の電解運転時の説明であり、当該電解水生成装置Ｂにおいては、通常の電解運転中に各陰極側電解室に発生するスケールを除去すべく、各電解室の極性が反転され、これと同期して、流路切替弁３０を流路切替え動作が行われ、当該電解水生成装置Ｂは、図３に示すように、各電解室の極性が反転し、流路切替弁３０が流路切替え動作した状態を呈する。この状態の電解水生成装置Ｂにおいては、第１の有隔膜電解槽１０における極性を反転されて陽極側となった第１の電解室Ｒ1では酸性の電解生成水が生成され、極性を反転されて陰極側となった第２の電解室Ｒ2ではアルカリ性の電解生成水が生成される。第１の電解室Ｒ1にて生成された酸性の電解生成水は、被電解水として、流出管路１５ａを通って第２の有隔膜電解槽２０に供給され、また、第２の電解室Ｒ2にて生成されたアルカリ性の電解生成水は、流出管路１５ｂを通って酸性の導出管路１６に流出して排水される。
【００３５】
一方、第１の有隔膜電解槽１０における第１の電解室Ｒ1にて生成された酸性の電解生成水を被電解水とする第２の有隔膜電解槽２０においては、極性を反転されて陽極側となった第１の電解室Ｒ3では強酸性の電解生成水が生成され、極性を反転されて陽極側となった第２の電解室Ｒ4では弱酸性または略中性の電解生成水が生成される。第１の電解室Ｒ3にて生成された強酸性の電解生成水は、流出管路２５ａおよび流路切替弁３０を通って、酸性の電解生成水専用の導出管路１６に流出し、また、第２の電解室Ｒ4にて生成された弱酸性または略中性の電解生成水も酸性の電解生成水専用の導出管路１６に流出して、これらの電解生成水は合体した状態で排水される。このため、第２の有隔膜電解槽２０の第１の電解室Ｒ3にて生成された強酸性の電解生成水は、食器洗浄機の洗浄水タンク内への供給を阻止される。
【００３６】
当該電解水生成装置Ｂは、当該電解運転によって、陰極側室にて発生したスケールを除去することができ、当該電解運転の終了後には、各有隔膜電解槽１０，２０の各電解室の極性が反転されるとともに流路切替弁３０が流路切替え動作されて、通常の電解運転が再開されることになる。
【００３７】
このように、本発明に係る電解水生成装置Ｂにおいては、流路切替弁としては、第２の有隔膜電解槽２０の第１の電解室Ｒ3に接続されている流出管路２５ａと、アルカリ性の電解生成水専用の導出管路２６と、酸性の電解生成水専用の導出管路１６とを、互いに流路切替え可能に接続する流路切替弁３０を採用しているため、各有隔膜電解槽１０，２０に対応した数の流路切替弁１０ｂ，２０ｂを設ける必要がない。このため、本発明に係る電解水生成装置Ｂによれば、図１に示す電解水生成装置Ａに比較して、流路切替弁の使用個数を低減することができるとともに、各電解室の極性の反転、および、流路切替弁の切替動作を制御する制御手段を簡単化することができる利点があり、また結果として、コストの低減を図ることができる。
【００３８】
また、本発明に係る電解水生成装置Ｂにおいては、採用している流路切替弁３０は、アルカリ性の電解生成水および酸性または略中性の電解生成水を、切替動作によって選択的に通すように構成されているため、アルカリ性の電解生成水と酸性の電解生成水を同時に通す構成の従来採用されている流路切替弁１０ｂ、２０ｂに比較して、弁の化学的ダメージが小さく、使用寿命を向上させることができる。
【図面の簡単な説明】
【００３９】
【図１】本発明に係る電解水生成装置の比較対象とする電解水生成装置の概略構成図である。
【図２】本発明に係る電解水生成装置であって、通常の電解運転時の状態を示す概略構成図である。
【図３】本発明に係る電解水生成装置であって、各電解室の極性が反転されて同時に流路切替弁が流路切替え動作した電解運転時の状態を示す概略構成図である。
【符号の説明】
【００４０】
Ａ，Ｂ…電解水生成装置、１０ａ，２０ａ，１０，２０…有隔膜電解槽、１０ｂ，２０ｂ，３０…流路切替弁、１１，２１…槽本体、１２，２２…隔膜、１３ａ，１３ｂ、２３ａ，２３ｂ…電極、１４，２４…被電解水の供給管路、１５ａ，１５ｂ、２５ａ，２５ｂ…流出管路、１６，２６ｂ…酸性の電解生成水専用の導出管路、２６，２６ａ…アルカリ性の電解生成水専用の導出管路、Ｒ1，Ｒ3…第１の電解室、Ｒ2，Ｒ4…第２の電解室。
【図１】
2009160521.tif 000003
【図２】
2009160521.tif 000004
【図３】
2009160521.tif 000005